(57)【要約】      （修正有）【課題】立ったままの姿勢で作業を行うことができ、柄の開閉動作を刃体にスムーズに伝える手動式の草刈鋏を提供する。【解決手段】交差させた一対の柄１、１の交差部分を第１支持軸１２によって回動自在に軸支し、一対の柄１、１の先端部内側位置にそれぞれ、略Ｌ字状であって水平片２２、２２を内方に向けた連結具２、２の垂直片２１、２１部分を、一対の柄１、１の先端を結ぶ方向の第２支持軸１３、１３で軸支する。第５支持軸６で開閉自在に軸支する一対の刃体８、９の基端部にそれぞれ、第５支持軸６と平行な第４支持軸５、５を設け、一対の刃体８、９の基端部に設けた第４支持軸５、５は、それぞれ第４支持軸５、５に直交する第３支持軸４、４により、連結具２、２の水平片２２、２２に軸支して連結する。【選択図】図１
0003212658.tif 000002
【実用新案登録請求の範囲】
【請求項１】
交差させた一対の柄の交差部分を第１支持軸によって回動自在に軸支し、前記一対の柄の先端部内側位置にそれぞれ、略Ｌ字状であって水平片を内方に向けた連結具の垂直片部分を、前記一対の柄の先端を結ぶ方向の第２支持軸で軸支し、
第５支持軸で開閉自在に軸支する一対の刃体の基端部にそれぞれ、前記第５支持軸と平行な第４支持軸を設け、
一対の刃体の基端部に設けた前記第４支持軸は、それぞれ前記第４支持軸に直交する第３支持軸により、前記連結具の水平片に軸支して連結することを特徴とする立ち姿勢による草刈鋏。
【請求項２】
第４支持軸の水平片への連結は、前記第４支持軸に直交して固定した第３支持軸と、受け部材とを用いるものであって、
前記受け部材は、水平片を挿入して固定する上側挿入部と、前記第４支持軸を水平方向に回動自在にし、下方に扇形に形成された溝孔とを備え、
前記第４支持軸の一端が前記溝孔を通過してガイドされ、回動自在で設けられることを特徴とする請求項１に記載の草刈鋏。
【請求項３】
一対の刃体のいずれか一方の刃体の定位置に固定し、いずれか他方の刃体に係合して前記一対の刃体の一定角度範囲の下限未満の閉じを防止する閉制限ストッパを備え、
前記閉制限ストッパは一方の刃体の基端部の内方に向けた位置に固定され、前記一方の刃体から前記他方の刃体の回転平面に向けて垂下され設けられることを特徴とする請求項１または２に記載の草刈鋏。
【考案の詳細な説明】
【技術分野】
【０００１】
この考案は、立った姿勢で雑草などの草刈を行うことができる草刈鋏に関する。
【背景技術】
【０００２】
手動式の草刈り鋏は、一般的に屈み込んだ姿勢で、地表の雑草などの刈り取り作業を行う。このように、屈み込んだ不自然な姿勢で作業を行うものでは、非常に疲れるため能率的な作業を行うことができない欠点があった。このような実情に鑑み、特許文献１、２に開示されるように、支持軸で軸支した一対の刃体の基端部に、中間位置を軸支した柄の先端を連結し、離れた位置から刃体を開閉し草刈りや剪定の作業を行うことができるものが工夫されている。
【０００３】
特許文献１には、中間位置で軸支した一対の柄の先端部分に、柄を軸支した軸と同一方向の軸で連結部品を軸支し、開閉自在とする一対の刃体の基端部と前記連結部品を柄の延長方向の軸で軸支することによって柄の開閉動作を刃体の開閉動作に伝える構造が開示されている。この構造では、立ち姿勢によって草刈り作業を行うことができる。
【０００４】
特許文献１に記載された発明では、柄の開閉動作が刃体の開閉運動として伝えられ、立った姿勢で斜め前方の草刈を行うことができるが、その角度は一定であって刃体と柄との角度調整を行うことができない。特許文献２には、柄の先端部と刃体の基端部との間において軸支構造が維持されるようにバネによる押圧状態で支持させることで、刃体と柄との角度調整を行うことができ、かつ調整した角度で柄の開閉動作を刃体に伝えることができる構造が開示されている。
【先行技術文献】
【特許文献】
【０００５】
【特許文献１】特開平８−１１６７８７号公報
【特許文献２】特開２０１６−４７０４３号公報
【考案の概要】
【考案が解決しようとする課題】
【０００６】
ところで、柄の開閉動作時に、柄の先端部は、柄の支持軸を中心として回動する。これに対して、刃体の開閉動作時に、刃体は、刃体の支持軸を中心として回動する。そして、これらの回動はいずれも平面的な広がりを持っている。草刈り作業において柄の回動平面と刃体の回動平面とが平行でない場合（角度を調整した場合）、柄の回動平面（柄の先端部）と刃体の回動平面（刃体の基端部）とを単に接続するだけでは、この接続部分（軸支構造）に調整角度に応じた隙間を形成するようにかかる負荷、すなわち捻じれるように掛かる力が生じる。
【０００７】
特許文献２に記載された発明では、この軸支構造をバネによる押圧状態で維持することで、柄の開閉動作を刃体に伝えることを可能にしている。この構成では、隙間を潰すように軸方向に押圧するため、刃体の基端部と柄の先端部との間に捻じれるように生じる力を解消しきれず、刃体の開閉動作に抵抗が残る。
【０００８】
上記従来技術の課題に鑑み、本考案は、立ち姿勢で草刈り作業を行うことができるものであって、柄の開閉動作を刃体の開閉動作としてスムーズに伝えることができることを目的とするものである。
【課題を解決するための手段】
【０００９】
上記目的を達成するため、交差させた一対の柄の交差部分を第１支持軸によって回動自在に軸支し、前記一対の柄の先端部内側位置にそれぞれ、略Ｌ字状であって水平片を内方に向けた連結具の垂直片を、前記一対の柄の先端を結ぶ方向の第２支持軸で軸支し、第５支持軸で開閉自在に軸支する一対の刃体の基端部にそれぞれ、前記第５支持軸と平行な第４支持軸を設け、一対の刃体の基端部に設けた前記第４支持軸は、それぞれ前記第４支持軸に直交する第３支持軸により、前記連結具の水平片に軸支して連結することを特徴とするものである。
【００１０】
また、第４支持軸の水平片への連結は、前記第４支持軸に直交して固定した第３支持軸と、受け部材とを用いるものであって、前記受け部材は、水平片を挿入して固定する上側挿入部と、前記第４支持軸を水平方向に回動自在にし、下方に扇形に形成された溝孔とを備え、前記第４支持軸の一端が前記溝孔を通過してガイドされ、回動自在で設けられることが好ましい。
【００１１】
また、一対の刃体のいずれか一方の刃体の定位置に固定し、いずれか他方の刃体に係合して前記一対の刃体の一定角度範囲の下限未満の閉じを防止する閉制限ストッパを備え、前記閉制限ストッパは一方の刃体の基端部の内方に向けた位置に固定され、前記一方の刃体から前記他方の刃体の回転平面に向けて垂下され設けられることが好ましい。
【考案の効果】
【００１２】
請求項１記載の考案によれば、角度調節した草刈鋏において、立った姿勢で柄基端の把持部を持って左右に開閉することによって、この柄の回動平面と刃体の回動平面との傾きにより捻じれるように生じる力を第３支持軸の回動と第４支持軸の回動とにより解消することができる。したがって、柄の開閉動作を刃体にスムーズに伝えることができる。また、第２支持軸により回動させることで、刃体と柄との角度調整することができる。したがって、草刈鋏自体を保管や移送をする場合は、刃体部分を柄側に折り返すことで、全長を短くして安全に保管や移送を行うことができる。
【００１３】
請求項２記載の考案は、連結具と刃体とを接続する部位の具体的な軸支構造に係るものである。請求項２記載の考案によれば、受け部材によって柄から刃体を離して位置させることができる。刃体の開閉する場合は、刃体や支持構造が柄に接触することを防止して、第３支持軸や第４支持軸による回動範囲を確保することができる。柄に刃体の先端部を近づけて収納状態に切り替える場合や収納状態から他の状態に切り替える場合は、受け部材によって刃体と柄の間に生じる空間に手を差し入れて、刃体の刃を有する側端以外に指を当てて刃体を安全に掴み、刃体を支えることができる。
【００１４】
請求項３記載の考案によれば、閉制限ストッパにより閉じすぎることを防止して、柄を閉じた場合に柄の先端部から内方に突出する水平片（受け部材）などそれぞれの衝突を防止することができる。
【図面の簡単な説明】
【００１５】
【図１】図１は、本考案の使用形態を示す草刈鋏の全体斜視図である。
【図２】図２は、図１に示す草刈鋏の組み立て状態の分解斜視図である。
【図３】図３は、図５のV‐V線断面図である。
【図４】図４は、図３に示す部分に関する一部拡大平面図である。
【図５】図５は、図２に示す草刈鋏の側面図である。
【図６】図６は、図５に示す草刈鋏の収納状態の側面図である。
【考案を実施するための形態】
【００１６】
以下、本考案に係る立ち姿勢による草刈鋏の実施形態を添付の図面に基づいて説明する。
【００１７】
図１は、本考案の立ち姿勢による草刈鋏の実施形態であり使用状態を示す全体斜視図である。図２は、図１に示す草刈鋏の組み立て状態の分解斜視図である。図３は、図５のV‐V線断面の正面図であり、柄１、１と連結具２、２と受け部材３、３と刃体８、９とが軸支された状態を示す拡大図であり、図４は、図３に示す軸支状態と、刃体８、９の開閉状態に応じた状態を示す草刈鋏の平面図で、図５は、図２に示す草刈鋏の側面図、図６は、図５に示す草刈鋏の収納状態の側面図である。
【００１８】
図示実施形態の立ち姿勢による草刈鋏は、交差部分を第１支持軸１２によって回動自在に軸支した一対の柄１、１と、第５支持軸６で開閉自在に軸支する一対の刃体８、９で構成し、立ち姿勢で、柄１、１の把持部１１、１１を持って左右に開閉させることによって、刃体８、９を開閉させて草刈り作業を行うものである。
【００１９】
使用状態における草刈鋏の一例を図１に示す。使用状態においては、刃体８、９が水平方向に向き、連結具２、２の垂直片２１、２１が上下方向に向き、水平片２２、２２が水平方向に向く。使用者は、刃体８、９が水平方向となった状態で、刃体８、９から立ち上がる柄１、１の末端の把持部１１、１１をもって、立った状態で足元の草を鋏（一対の刃体８、９）で刈るように使用する。以下、本説明において、使用状態である図１の状態で垂直方向、水平方向として説明する。
【００２０】
図１、２に示すように、２本の柄１、１は地面付近から使用者の手元付近まで斜めに立ち上がる所定の長さを有し、その末端にはグリップ状の把持部１１、１１が形成される。その柄１、１の長手方向の途中で各々が略Ｘ字状になるように交差し、この交差する部分に第１支持軸１２により軸支されている。また、柄１、１の先端部内側面位置にそれぞれ、連結具２、２を第１支持軸１２に直交する方向、すなわち、一対の柄１、１の先端を結ぶ方向に平行な第２支持軸１３によって軸支している。連結具２は略Ｌ字型であって、垂直片２１、２１の上部分を柄１の先端部内側面に当接させ、第２支持軸１３により軸支している。連結具２、２の水平片２２、２２は、垂直片２１、２１の下方端から柄１、１の内方、すなわち、一方の柄１から他方の柄１側に向けた方向に折曲して、略Ｌ字型にしている。
【００２１】
連結具２、２の水平片２２、２２にそれぞれ、受け部材３、３を取り付ける。すなわち、受け部材３、３の上側挿入部３１、３１に水平片２２、２２を挿入し、水平片２２、２２に形成されたビス孔２３、２３と、受け部材３、３に形成されたビス孔３４、３４とにビス３５、３５を通すことにより、連結具２、２の水平部２２、２２を受け部材３、３の上側挿入部３１、３１に固定する。また、連結具２、２の水平片２２、２２は、後述のとおり、受け部材３、３、第３支持軸４、４を介して第４支持軸５、５に連結する。
【００２２】
受け部材３、３は、水平片２２、２２を挿入する上側挿入部３１、３１の下方に下側取付け部３２、３２を有する。この下側取付け部３２、３２は、図１、２に示すように、刃先方向と同じ方向に向けた第３支持軸４、４を受けるために筒状形態となり、第３支持軸４、４から下方に突出する（直交する）第４支持軸５、５を回動できるように筒状体の下方に周方向に沿って扇形に開孔された溝孔３３、３３を有する（図３参照）。なお、連結具２は水平片２２に受け部材３を一体で設けたものであってもよい。
【００２３】
この溝孔３３、３３は、使用時に第４支持軸５、５が扇型に開孔された溝の範囲内を移動させ、ガイドする。本実施形態の草刈鋏は、使用者が柄１、１の把持部１１、１１を掴み、開閉させると、開閉方向（水平方向）には回動しない連結具２、２を第２支持軸１３、１３で支持していることで柄１、１の開閉が直接刃体８、９に伝わり、直接的かつスムーズな開閉が可能になる。
【００２４】
第４支持軸５、５はそれぞれ、反対側の一端を刃体８、９の基端部に穿設した取付け孔５１、５１を通過させて、それぞれ刃体８、９の裏面においてナット５２、５２で締付固定し、刃体８、９は中央付近において第４支持軸５、５と平行な第５支持軸６により回動自在に軸支されている。このため、刃体８、９の基端部をそれぞれ、柄１１の第１支持軸１２、第２支持軸１３、１３、第３支持軸４、４、第４支持軸５、５を介して刃体８、９に開閉動作として伝えるようにしている。なお、刃体８、９を受け部材３、３（第３支持軸４、４）に軸支する構造は、第４支持軸５、５を第３支持軸４、４に固定し、第４支持軸５、５を刃体８、９に回動可能としてもよい。
【００２５】
本実施形態では、柄１、１の開閉動作時に、刃体８、９と水平片２２、２２の間に捻じれるように軸方向の力が作用すると、図３、４に示すように、第３支持軸４、４の回動と第４支持軸５、５の回動とにより捻じれるように掛かる力を解消しながら、刃体８、９の開閉（第５支持軸６の回動）を許容する（刃体８、９に開閉動作を伝える）。草刈鋏は、下側取付け部３２、３２により柄１、１の先端部から刃体８、９を離して位置させた軸支構造とすることで、刃体８、９などが柄１、１の先端部に接触することを防止して、第３支持軸４、４や第４支持軸５、５による回動範囲を確保することができる。なお、第２支持軸１３、１３と第３支持軸４、４、と第４支持軸５、５とはいずれも平行な方向を軸方向とはせず、第３支持軸４、４と第４支持軸５、５とは直交する。また、第４支持軸５、５と第５支持軸６とは平行な方向を軸方向とする。
【００２６】
図３、４に示すように、下側取付け部３２、３２の下端と刃体８、９との間には、間隔部材を介在させておくのが好ましい。このとき、受け部材３、３の下側取付け部３２、３２に近い位置の刃体８と下側取付け部３２の間には、薄い間隔部材（第１間隔部材５３ａ）を、下側取付け部３２に遠い位置の刃体９と下側取付け部３２との間には、間の寸法に刃体８の厚みをプラスした厚い間隔部材（第２間隔部材５３ｂ）を介在させておく。このため、刃体８、９の開閉に掛かる力が均等となり、刃体８、９を円滑に開閉させることができる。なお、本実施形態では、第２間隔部材５３ｂを複数の第１間隔部材５３ａで構成しているが、第２間隔部材５３ｂを第１間隔部材５３ａと異なる部材で構成してもよい。
【００２７】
柄１、１の方向と刃体８、９の方向が、長手方向で一定の角度を持って連結されたものでは、立った姿勢で斜め方向の柄１、１の把持部１１、１１を持って開閉させることによって地面に沿わせた刃体８、９を開閉させることができる。この時、刃体８、９を閉じた状態では、刃体８、９と連結具２、２の水平片２２、２２とは平行状態が保たれる。
【００２８】
ところが、柄１、１を開くと、連結具２は第１支持軸１２を中心とした平面上を回動し、刃体８、９の基端部は第５支持軸６を中心とした平面上を回動するため、水平片２２の面と刃体８、９の面が平行状態を保つことができず、傾斜状態で対向して２面の間に隙間が発生する。本実施形態では、二点鎖線で示すような傾斜状態であっても、隙間（捻じれるようにかかる力）を第３支持軸４、４や第４支持軸５、５の軸支によって解消し、柄１、１の開閉動作を円滑に刃体８、９に伝える（スムーズに刃体８、９を開閉させる）ことができる。
【００２９】
第２支持軸１３、１３は、柄１、１に対して連結具２、２を回動可能に軸支するものであるが、柄１、１と刃体８、９とを一定角度の状態で固定することによって、草刈り作業を支障なく行うことができるものである。そこで、本実施形態においては、左右いずれの第２支持軸１３、１３も連結具２、２が上下方向に自由に回動する状態に軸支し、左右両方若しくはいずれか一方の第２支持軸１３、１３に調整ネジ１４を螺着し、柄１、１と連結具２、２の所定の回動位置において、調整ネジ１４を締付けることによって、柄１、１と連結具２、２（刃体８、９）とを固定して遊回動を防止し、安定した状態で草刈り作業を進めることができるようにしている。
【００３０】
草刈鋏は、作業者の体格や好みによって、柄１、１と刃体８、９のなす角度を変更しようとする場合は、調整ネジ１４を緩めることによって刃体８、９を回動させることができ、好みの回動位置で調整ネジ１４を締付けることによって柄１、１と刃体８、９とが所望の角度を維持することになる。なお、本実施形態では、調節ネジ１４を一方の柄１に設けているが、両方の柄１、１それぞれに設けてよい。
【００３１】
草刈鋏は、例えば、図５に実線で示す刃体８、９と柄１、１が直線状に支持された位置から、立った姿勢の作業者が柄１、１を斜め下方に向けて持って、二点鎖線で示すような刃体８、９が水平方向を向く角度αに調整して、作業に使用することができる。したがって、作業者の体格や身長によって調整ネジ１４を緩めて、最適の角度αに調節することができる。作業を終了し、あるいは保管や輸送をする場合は、図６に示すように、角度αをゼロとし、すなわち刃体８、９を柄１、１側に回動させて柄１、１と平行に並ぶよう折り返すことによって、柄１、１との接触を防止して刃体８、９を安全に収納し、携行時などにも安全に取り扱うことができる。
【００３２】
柄１、１に刃体８、９の先端部を近づけて収納状態に切り替える場合や収納状態から他の状態に切り替える場合は、下側取付け部３２によって刃体８、９と柄１、１の間に生じる空間に手を差し入れて、刃体８の表面などの刃を有する側端以外に指を当てて刃体８、９を安全に掴み、刃体８、９を支えることができる。さらに、空間によって刃体８、９に保護カバーを容易に着脱することができる。
【００３３】
水平片２２、２２に遠い位置の刃体９の裏面には、第５支持軸６によって、半球状のすべり片６１を固定している。刃体８、９の裏面側に接地用のすべり片６１を設けることによって、草刈作業時に刃体８、９を円滑に移動させながら作業を進めることができる。このとき、刃体８、９による草の切断位置は、地面からすべり片６１の厚みの高さ位置であって、一定高さにそろえた草刈作業を行うことができる。
【００３４】
草刈鋏は、柄１、１の先端部から柄内方に水平片２２、２２（受け部材３、３）を突出して設けたことにより、柄１、１を閉じすぎると受け部材３、３などが衝突することがある。本実施形態では、閉じすぎることを防止するため、一対の刃体のいずれか一方の刃体の定位置に固定し、いずれか他方の刃体に係合して一対の刃体の一定角度範囲の下限未満の閉じを防止する閉制限ストッパ６２を設けている。閉制限ストッパ６２は一方の刃体８の基端部の柄内方側の位置に固定され、刃体８の裏面から刃体９の回転平面に向けて垂下させておくことにより、刃体８、９の一定角度範囲の下限未満の閉じを制限する。
【００３５】
草刈鋏は、開きすぎることを防止するため、一対の刃体のいずれか一方の刃体の定位置に固定し、いずれか他方の刃体に係合して一対の刃体の一定角度範囲の上限を超えた開きを防止する開制限ストッパ６３を設けている。開制限ストッパ６３は第５支持軸６に貫通させて刃体８の表面に位置させて固定し、その側端を刃体８の側端から刃体９の回動平面に向けて垂下させておくことにより、刃体８、９の一定角度範囲の上限を超えた開きを制限することができる。
【符号の説明】
【００３６】
１…柄、２…連結具、３…受け部材、４…第３支持軸、５…第４支持軸、６…第５支持軸、８、９…刃体、１２…第１支持軸、１３…第２支持軸、２１…垂直片、２２…水平片、３１…上側挿入部、３２…下側取付け部、３３…溝孔、５１…取付け孔、６２…閉制限ストッパ
【図１】
0003212658.tif 000003
【図２】
0003212658.tif 000004
【図３】
0003212658.tif 000005
【図４】
0003212658.tif 000006
【図５】
0003212658.tif 000007
【図６】
0003212658.tif 000008